(57)【特許請求の範囲】
【請求項１】
少なくとも回転リールを収容可能に形成され、前面が開口形成された筐体と、前記筐体の開口を開閉する前扉と、前記回転リールの回転を停止させるときに押圧操作される複数のストップボタンが所定方向に並んで前記前扉に配列されている遊技機であって、
前記ストップボタンは、頂部と、前記頂部に向けて傾斜する傾斜部とを備え、
前記前扉には、
ベース部材が取り付けられる取付部と、
遊技に供される遊技媒体が投入される投入口と、
前記投入口に投入された遊技媒体を選別するセレクタと、が設けられており、
前記取付部には、前記ベース部材を取付固定するための孔部と、前記孔部の裏面側において前記孔部よりも前記前扉の裏側に向けて延出する延出部とが形成されており、
前記孔部は、前記セレクタと近接する位置に形成される第１孔部と、前記第１孔部よりも前記セレクタから離れた位置に形成される第２孔部とを有し、
前記延出部は、前記第１孔部と対応する位置に形成される第１延出部と、前記第２孔部と対応する位置に形成される第２延出部とを有し、前記第１延出部の延出長さが前記第２延出部の延出長さよりも長くなるように形成されていることを特徴とする遊技機。
【請求項２】
孔部は、前面側に該孔部を囲むとともに前記孔部の孔径よりも大径に形成された穴部が形成されており、前記穴部には、該穴部の内周面から内径側に向けて突出する突出片が形成されている請求項１記載の遊技機。
【発明の詳細な説明】
【技術分野】
【０００１】
本発明は、ストップボタンを押圧操作して回転リールの回転を停止するように構成された遊技機に関する。
【背景技術】
【０００２】
パチンコ店において遊技者の遊技に供される遊技機が従来から知られている。遊技機としては、遊技球を遊技媒体として用いるパチンコ機や、メダルを遊技媒体として用いるスロットマシン等がある。スロットマシンは、一般的には複数の回転リール等を備えており、例えば３枚のメダルを投入した後にスタートレバーを操作すると回転リールが回転駆動を開始する。そして、所定時間経過するか、又は遊技者がストップボタンを押圧操作すると、回転している回転リールが停止され、その時の図柄（停止図柄）の組み合わせによって、遊技者にとって有利な状態へ移行する契機となる大当りに当選したか否かが表示され、遊技者はその停止図柄を見て、大当りに当選したかを知ることができるように構成されている。このような構成を備える遊技機としては、例えば下記に示す特許文献１に記載されているものが従来から知られている。
【先行技術文献】
【特許文献】
【０００３】
【特許文献１】特開２０１３−０９４５５６号公報
【発明の概要】
【発明が解決しようとする課題】
【０００４】
しかしながら、特許文献１に記載されているスロットマシンにおいては、ストップボタンは遊技を行う毎に押圧操作されるために、スロットマシンにおける他の部品よりも操作される頻度が多い上、遊技者が直接操作するために壊れやすく、交換する頻度が他の部品に比べて多くなるといった問題があった。そのため、スロットマシンにおいては、ストップボタンを交換する作業が容易に行えるようにする要望が大きかった。しかし、特許文献１に記載されているスロットマシンのような従来の遊技機においては、ストップボタンが設けられているベース部材がネジ止めされており、交換時にこの止めているネジが落下しやすい構造だったため、作業者が交換作業に煩わしさを感じるという問題があった。
【０００５】
また、上記した通り、スロットマシンにおいては、ストップボタンは遊技毎に遊技者が直接押圧操作するものであるため、押圧操作しやすいか否かによって遊技者が遊技を行っている時に疲れにくいことも要望として大きいものであった。特に、スロットマシンの場合においては、遊技者は、例えば自身の親指を横に移動させながら、複数のストップボタンを連続的に押圧操作する方法で遊技を行うことが多く、ストップボタンが操作しやすいか否かは大きな問題となっていた。
【０００６】
本発明は、このような問題点に鑑みてなされたものであり、ストップボタンの操作性を向上させるとともに、操作ボタンの交換時において、該操作ボタンを容易に交換することができるようにした遊技機を提供することを目的とする。
【課題を解決するための手段】
【０００７】
本発明は、
（１）少なくとも回転リールを収容可能に形成され、前面が開口形成された筐体と、前記筐体の開口を開閉する前扉と、前記回転リールの回転を停止させるときに押圧操作される複数のストップボタンが所定方向に並んで前記前扉に配列されている遊技機であって、前記ストップボタンは、頂部と、前記頂部に向けて傾斜する傾斜部とを備え、前記前扉には、ベース部材が取り付けられる取付部と、遊技に供される遊技媒体が投入される投入口と、前記投入口に投入された遊技媒体を選別するセレクタと、が設けられており、前記取付部には、前記ベース部材を取付固定するための孔部と、前記孔部の裏面側において前記孔部よりも前記前扉の裏側に向けて延出する延出部とが形成されており、前記孔部は、前記セレクタと近接する位置に形成される第１孔部と、前記第１孔部よりも前記セレクタから離れた位置に形成される第２孔部とを有し、前記延出部は、前記第１孔部と対応する位置に形成される第１延出部と、前記第２孔部と対応する位置に形成される第２延出部とを有し、前記第１延出部の延出長さが前記第２延出部の延出長さよりも長くなるように形成されていることを特徴とする遊技機、
（２）孔部は、前面側に該孔部を囲むとともに前記孔部の孔径よりも大径に形成された穴部が形成されており、前記穴部には、該穴部の内周面から内径側に向けて突出する突出片が形成されている上記（１）記載の遊技機、
を要旨とする。
【発明の効果】
【０００８】
本発明によれば、遊技者がストップボタンを連続的に操作する場合においても押圧操作しやすくすることができ、遊技中における遊技者の疲労を軽減することが可能になる。また、ストップボタンを交換する際にも作業者が交換作業の煩わしさを感じることなく作業を行うことが可能になる。
【図面の簡単な説明】
【０００９】
【図１】本発明の一実施形態に係る遊技機の外観を表す正面図である。
【図２】停止ボタンユニットの構成を表す分解斜視図である。
【図３】停止ボタンユニットの構成を表す分解斜視図である。
【図４】図１のＡ−Ａ線断面図である。
【図５】遊技機の部分側面図である。
【図６】図５のＢ−Ｂ線断面図である。
【図７】図７（ａ）は、第１孔部の構成及び作用効果を表す説明図であり、図７（ｂ）は、第２孔部の構成及び作用効果を表す説明図である。
【発明を実施するための形態】
【００１０】
本発明に係る遊技機の実施の形態について、図面を用いて説明する。本実施の形態では、本発明に係る遊技機の一例として、スロットマシンに適用した例について説明する。なお、本明細書において、遊技機（スロットマシン）に関して「前側」、「後側」は、遊技機を正面から見た場合（図１参照）のそれぞれ正面側（前面側）、裏面側（後面側）を示す。また、遊技機に関して、「上下左右」とは、遊技機を正面から見た場合における上側、下側、左側、右側を示すものとする。また、本明細書においては、「後側」のことを「裏側」、「背面側」と言うことがあり、前後方向のことを「奥行方向」と言うことがある。
【００１１】
図１に示すように、スロットマシン１は、図示しないリールユニットやホッパー装置等のような各種遊技機器を収容することが可能な大きさに形成され、前面が開口するように形成された筐体２と、この筐体２の前面に開閉し、閉じている時には筐体２の開口を塞ぐように構成されている前扉３とを備えている。
【００１２】
前扉３は、枠体４、上部ユニット５及び下部ユニット６を備えている。枠体４は、前扉３のベースとなる部材であり、例えばアルミニウム又は鉄鋼等の金属材料からなる断面略コ字形又は断面略Ｌ字形の枠材を組み立てる等して形成されている。この枠体４は、前扉３の後側に位置し、筐体２に対して前扉３を閉じた時に、後端面が筐体２と対向する位置に配置されている。なお、この枠体４を構成する材質及び形状は上記したものに限定されるものではない。
【００１３】
上部ユニット５は、枠体４の前側上部に取り付けられるように構成されている。この上部ユニット５は、各種装飾部材が周囲を囲むように取り付けられており、この各種装飾部材に囲まれている中央部に、第１〜第３リールに設けられた各種図柄（図示せず）を遊技者が視認可能にするための第１表示窓部７や、液晶表示装置（図示せず）において表示される各種アニメーション等のような絵柄を遊技者が視認可能にするための第２表示窓部８が形成されている。
【００１４】
下部ユニット６は、枠体４の前側下部に取り付けられるように構成されている。この下部ユニット６は、枠体４に取り付けられた時に、上部ユニット５の下方に位置するように配置される。図１に示すように、下部ユニット６には、遊技に供されるメダルの貯留又は遊技開始時に該メダルを投入する投入口１１、貯留されているメダルを１枚掛けることができる１ベットボタン１２、貯留されているメダルを３枚掛けることができるＭＡＸベットボタン１３、遊技開始時に操作するスタートレバー１４、リールユニットに組み込まれている図示しない第１〜第３回転リールを停止させる時に押圧操作される複数の第１〜第３ストップボタンが所定方向に並んで配置されている停止ボタンユニット１５、払い出されたメダルを受けるための受け皿１６及びスロットマシン１の機種名等を装飾した装飾パネルを取り付けるパネル取付部１７が設けられている。また、下部ユニット６には、投入口１１に投入されたメダルを選別するセレクタ１８が後側に設けられている。
【００１５】
［停止ボタンユニット１５の構成］
図２〜図７に示すように、停止ボタンユニット１５は、下部ユニット６に形成されている取付部としてのボタンユニット取付部２１に取付固定されている。この取付部としてのボタンユニット取付部２１は、下部ユニット６の前面側に、停止ボタンユニット１５を構成する後述するベース部材４１を取付固定することができるように形成されている。このボタンユニット取付部２１は、略中央部に凹部２２が形成されており、またこの凹部２２の左右両側に該停止ボタンユニット１５を取付固定するための固定孔が貫通形成されている。固定孔は、スロットマシン１を正面視した時の左側に形成されている第１孔部２３と、該スロットマシン１を正面視した時の右側に形成されている第２孔部２４とから構成されている。また、凹部２２には、停止ボタンユニット１５に接続されている配線を下部ユニット６の内部に引き込む引き込み孔２５が形成されている。
【００１６】
第１孔部２３及び第２孔部２４は、ボタンユニット取付部２１の裏面側において、停止ボタンユニット１５をボタンユニット取付部２１に取付固定する際に使用するネジ等の取付具が取付固定されるように形成されている。第１孔部２３は、第１取付具２６が下部ユニット６の裏面側から表面側に向けて取付固定することができるように、セレクタ１８の上方に位置するように設けられている。また、第２孔部２４は、第２取付具２７が下部ユニット６の裏面側から表面側に向けて取付固定することができるように、セレクタ１８の上方に位置するように設けられている。
【００１７】
第１孔部２３の前面側には第１表穴部３２が形成されている。第１表穴部３２は、第１孔部２３を囲むとともに第１孔部２３の孔径よりも大径に形成されている。この第１表穴部３２は、停止ボタンユニット１５の後述する第１脚部５０ａが挿通可能な内径を有するように形成されている。また、第２孔部２４の前面側には第２表穴部３３が形成されている。第２表穴部３３は、第２孔部２４を囲むとともにこの第２孔部２４の孔径よりも大径に形成されており、さらに第２表穴部３３は凹凸状に形成されている。即ち、第２表穴部３３は、内周面から径方向内側に向けて複数の突出片３１が形成されており、これら複数の突出片３１の内径側端面によって囲まれて形成されている空間が、停止ボタンユニット１５の第２脚部５０ｂが挿通可能な大きさを有するように形成されている。
【００１８】
また、第１孔部２３の下方には、第１取付具２６の取付固定時に、該第１取付具２６が第１孔部２３に取付固定されず、スロットマシン１の下部に向けて落下するのを防止する第１延出部２８が形成されている（図７参照）。この第１延出部２８は、第１孔部２３の裏面側において第１孔部２３の下方に位置するとともに、第１孔部２３よりも前扉３の裏側に向けて延出するように形成されている。
【００１９】
また、第２孔部２４には、第２取付具２７の取付固定時に、該第２取付具２７が第２孔部２４に取付固定されず、スロットマシン１の下部に向けて落下するのを防止する第２延出部２９が設けられるように形成されている。この第２延出部２９は、第２孔部２４の裏面側において第２孔部２４を囲むとともに、第２孔部２４よりも前扉３の裏側に向けて延出するように形成されている。
【００２０】
停止ボタンユニット１５は、ベース部材４１、第１ボタンユニット４２、第２ボタンユニット４３及び第３ボタンユニット４４を備えている。
【００２１】
ベース部材４１は、停止ボタンユニット１５の基板となる部材である。このベース部材４１には、左から右に第１ボタンユニット取付部４５、第２ボタンユニット取付部４６及び第３ボタンユニット取付部４７が所定の間隔をあけて、互いが隣接する位置に順次形成されている。また、互いに隣接するこれら第１ボタンユニット取付部４５と第２ボタンユニット取付部４６との間には誘導部としての第１誘導部４８が形成されており、互いに隣接する第２ボタンユニット取付部４６及び第３ボタンユニット取付部４７との間には第２誘導部４９が形成されている。これら第１誘導部４８及び第２誘導部４９は凹状に形成されており、第１誘導部４８は第１ボタンユニット取付部４５の縁部と第２ボタンユニット取付部４６の縁部との間に形成されており、第２誘導部４９は第２ボタンユニット取付部４６の縁部と第３ボタンユニット取付部４７の縁部との間に形成されている。さらに、ベース部材４１には、裏面側から後方に向けて突出形成された第１脚部５０ａ及び第２脚部５０ｂが形成されている。第１脚部５０ａは、第１表穴部３２の中に挿入可能な大きさを有するように形成されており、第１孔部２３を介して第１取付具２６により取付固定されるように形成されている。また、第２脚部５０ｂは、第２表穴部３３の中に挿入可能な大きさを有するように形成されており、第２孔部２４を介して第２取付具２７により取付固定されるように形成されている。
【００２２】
第１ボタンユニット取付部４５は、ベース部材４１の表面側から裏面側に向けて凹状に形成された第１取付部５１が形成されている。第１取付部５１は、後述する第１付勢部材６３が内部に配置することができる大きさに形成されており、内部に後述する第１ボタン本体６４の第１係合片６６と係合可能な第１係合受部５２が形成されている。また、第１取付部５１は、裏面側に、第１付勢部材６３、第１ボタン本体６４及び後述する第１押圧部６５材からなる第１ボタン６１が押圧されたことを検知する第１検知センサ６２が取り付けられる第１センサ取付部５３が形成されている。
【００２３】
第２ボタンユニット取付部４６は、ベース部材４１の表面側から裏面側に向けて凹状に形成された第２取付部５４が形成されている。第２取付部５４は、後述する第２付勢部材７３が内部に配置することができる大きさに形成されており、内部に後述する第２ボタン本体７４の第２係合片７６と係合可能な第２係合受部５５が形成されている。また、第２取付部５４は、裏面側に、第２付勢部材７３、第２ボタン本体７４及び後述する第２押圧部７５からなる第２ボタン７１が押圧されたことを検知する第２検知センサ７２が取り付けられる第２センサ取付部５６が形成されている。
【００２４】
第３ボタンユニット取付部４７は、ベース部材４１の表面側から裏面側に向けて凹状に形成された第３取付部５７が形成されている。第３取付部５７は、後述する第３付勢部材８３が内部に配置することができる大きさに形成されており、内部に後述する第３ボタン本体８４の第３係合片８６と係合可能な第３係合受部５８が形成されている。また、第３取付部５７は、裏面側に、第３付勢部材８３、第３ボタン本体８４及び後述する第３押圧部８５からなる第３ボタン８１が押圧されたことを検知する第３検知センサ８２が取り付けられる第３センサ取付部５９が形成されている。なお、第３検知センサ８２は、第３ボタン８１が押圧されたことを検知することができれば、従来から公知のものを任意に選択して用いてよい。
【００２５】
第１ボタンユニット４２は、第１ボタン６１と第１検知センサ６２とから構成されている。
【００２６】
第１ボタン６１は、遊技者が操作するボタンを構成するもので、第１付勢部材６３、第１ボタン本体６４及び第１押圧部６５を備えている。第１付勢部材６３は、第１ボタンユニット取付部４５の内部に配置できるような大きさに形成されているバネ状の部材であり、第１ボタン本体６４及び第１押圧部６５が通常位置に位置することを維持し、遊技者によって第１ボタン本体６４及び第１押圧部６５が押圧操作されこれら第１ボタン本体６４及び第１押圧部６５が押圧位置に移動した時は、第１ボタン本体６４及び第１押圧部６５を押圧位置から通常位置に移動させるように付勢するためのものである。なお、本実施の形態では、第１付勢部材６３としてバネ状の部材を用いているが、第１ボタン６１及び第１押圧部６５を通常位置に位置することを維持する等を行うことが出来れば、バネ状の部材に限定するものではない。
【００２７】
第１ボタン本体６４は、表面側に第１押圧部６５を取り付けることができ、裏面側には第１係合片６６が突出形成されている。この第１係合片６６は、第１ボタンユニット取付部４５の第１係合受部５２と係合することが出来るように形成されている。第１係合片６６は、第１ボタン６１が通常位置に位置する時は第１係合受部５２と係合しており、第１ボタン６１が通常位置から押圧位置に移動している時は第１係合受部５２との係合は解除されるように形成されている。即ち、この第１係合片６６は、第１係合受部５２と係合することによって、第１ボタン本体６４及び第１押圧部６５が通常位置よりも前側に移動するのを阻止することができるように構成されている。
【００２８】
ストップボタンを構成する第１押圧部６５は、第１ボタン本体６４の表面側に取付固定することができるように形成されており、遊技者が押圧操作をする際に、遊技者の指が接触する第１接触面６７を有している。第１押圧部６５は、平面状に形成されている第１頂部６８と、この第１頂部６８に向けて傾斜する第１傾斜部６９とを備えている。即ち、第１押圧部６５の第１接触面６７は、該第１接触面６７において中央の部分が最も高く、またこの中央部分から離れるにつれて高さが低くなるように形成された山型形状になっている。なお、この第１押圧部６５における第１傾斜部６９の傾斜角は、遊技者が遊技中に指を沿わせながら第１押圧部６５の第１接触面６７を押圧しやすいように形成されていればよく、その第１傾斜角や第１ボタン６１の形状等はこれに限定されるものではない。
【００２９】
第１検知センサ６２は、第１ボタン６１が押圧されたことを検知するためのものである。この第１検知センサ６２としては、第１ボタン６１が押圧されたことを検知することができれば、従来から公知のものを任意に選択して用いてよい。なお、この第１検知センサ６２は、第１ボタン６１が押圧操作される際、遊技者が第１ボタン６１から第３ボタン８１（後述する）を連続して押圧操作する時の押圧操作方向始端側に設けることが好ましい。この位置に第１検知センサ６２を配置することによって、遊技者が第１ボタン６１を押圧操作した時に、その押圧操作されたことを確実に検知することができ、スロットマシン１での遊技を確実に行うようにすることができる。
【００３０】
第２ボタンユニット４３は、第２ボタン７１と第２検知センサ７２とから構成されている。第２ボタン７１は、遊技者が操作するボタンを構成するもので、第２付勢部材７３、第２ボタン本体７４及び第２押圧部７５を備えている。第２付勢部材７３は、第２ボタンユニット取付部４６の内部に配置できる大きさに形成されているバネ状の部材であり、第２ボタン本体７４及び第２押圧部７５が通常位置に位置することを維持し、遊技者によって第２ボタン本体７４及び第２押圧部７５が押圧操作されこれら第２ボタン本体７４及び第２押圧部７５が押圧位置に移動した時は、第２ボタン本体７４及び第２押圧部７５を押圧位置から通常位置に移動させるように付勢するためのものである。なお、本実施の形態では、第２付勢部材７３としてバネ状の部材を用いているが、第２ボタン７１及び第２押圧部７５を通常位置に位置することを維持する等を行うことが出来れば、バネ状の部材に限定するものではない。
【００３１】
第２ボタン本体７４は、表面側に第２押圧部７５を取り付けることができ、裏面側には第２係合片７６が突出形成されている。この第２係合片７６は、第２ボタンユニット取付部４６の第２係合受部５５と係合することが出来るように形成されている。第２係合片７６は、第２ボタン７１が通常位置に位置する時は第２係合受部５５と係合しており、第２ボタン７１が通常位置から押圧位置に移動している時は第２係合受部５５との係合は解除されるように形成されている。即ち、この第２係合片７６は、第２係合受部５５と係合することによって、第２ボタン本体７４及び第２押圧部７５が通常位置よりも前側に移動するのを阻止することが出来るように構成されている。
【００３２】
ストップボタンを構成する第２押圧部７５は、第２ボタン本体７４の表面側に取付固定することができるように形成されており、遊技者が押圧操作をする際に、遊技者の指が接触する第２接触面７７を有している。第２押圧部７５は、平面状に形成されている第２頂部７８と、この第２頂部７８に向けて傾斜する第２傾斜部７９とを備えている。即ち、第２押圧部７５の第２接触面７７は、該第２接触面７７において中央の部分が最も高く、またこの中央部分から離れるにつれて高さが低くなるように形成された山形形状になっている。なお、この第２押圧部７５における第２傾斜部７９の傾斜角は、遊技者が遊技中に指を沿わせながら第２押圧部７５の第２接触面７７を押圧しやすいように形成されていればよく、その第２傾斜部７９の傾斜角や第２ボタン７１の形状等はこれに限定されるものではない。
【００３３】
第２検知センサ７２は、第２ボタン７１が押圧されたことを検知するためのものである。この第２検知センサ７２としては、第２ボタン７１が押圧されたことを検知することができれば、従来から公知のものを任意に選択して用いてよい。なお、この第２検知センサ７２は、第２ボタン７１が押圧操作される際、遊技者が第１ボタン６１から第３ボタン８１を連続して押圧操作する時の押圧操作方向始端側に設けることが好ましい。この位置に第２検知センサ７２を配置することによって、遊技者が第２ボタン７１を押圧操作した時に、その押圧操作されたことを確実に検知することができ、スロットマシン１での遊技を確実に行うようにすることができる。
【００３４】
第３ボタンユニット４４は、第３ボタン８１と第３検知センサ８２とから構成されている。第３ボタン８１は、遊技者が操作するボタンを構成するもので、第３付勢部材８３、第３ボタン本体８４及び第３押圧部８５を備えている。第３付勢部材８３は、第３ボタンユニット取付部４７の内部に配置できる大きさに形成されているバネ状の部材であり、第３ボタン本体８４及び第３押圧部８５が通常位置に位置することを維持し、遊技者によって第３ボタン本体８４及び第３押圧部８５が押圧操作され、これら第３ボタン本体８４及び第３押圧部８５が押圧位置に移動した時は、第３ボタン本体８４及び第３押圧部８５を押圧位置から通常位置に移動させるように付勢するためのものである。なお、本実施の形態では、第３付勢部材８３としてバネ状の部材を用いているが、第３ボタン８１及び第３押圧部８５を通常位置に位置することを維持する等を行うことが出来れば、バネ状の部材に限定するものではない。
【００３５】
第３ボタン本体８４は、表面に第３押圧部８５を取り付けることができ、表面側には第３係合片８６が突出形成されている。この第３係合片８６は、第３ボタンユニット取付部４７の第３係合受部５８と係合することが出来るように形成されている。第３係合部は、第３ボタン８１が通常位置に位置する時は第３係合受部５８と係合しており、第３ボタン８１が通常位置から押圧位置に移動している時は第３係合受部５８との係合は解除されるように形成されている。即ち、この第３係合片８６は、第３係合受部５８と係合することによって、第３ボタン本体８４及び第３押圧部８５が通常位置よりも前側に移動するのを阻止することが出来るように構成されている。
【００３６】
第３押圧部８５は、第３ボタン本体８４の表面側に取付固定することができるように形成されており、遊技者が押圧操作をする際に、遊技者の指が接触する第３接触面８７を有している。第３押圧部８５は、平面上に形成されている第３頂部８８と、この第３頂部８８に向けて傾斜する第３傾斜部８９とを備えている。即ち、第３押圧部８５の第３接触面８７は、該第３接触面８７において中央の部分が最も高く、またこの中央部分から離れるにつれて高さが低くなるように形成された山形形状になっている。なお、この第３押圧部８５における第３傾斜部８９の傾斜角は、遊技者が遊技中に指を沿わせながら第３押圧部８５の第３接触面８７を押圧しやすいように形成されていればよく、その第３傾斜部８９の傾斜角や第３ボタン８１の形状はこれに限定されるものではない。
【００３７】
第３検知センサ８２は、第３ボタン８１が押圧されたことを検知するためのものである。この第３検知センサ８２としては、第３ボタン８１が押圧されたことを検知することが出来れば、従来から公知のものを任意に選択して用いてよい。なお、この第３検知センサ８２は、第３ボタン８１が押圧操作される際、遊技者が第１ボタン６１から第３ボタン８１を連続して押圧操作する時の押圧操作方向始端側に設けることが好ましい。この位置に第３検知センサ８２を配置することによって、遊技者が第３ボタン８１を押圧操作した時に、その押圧操作されたことを確実に検知することができ、スロットマシン１での遊技を確実に行うようにすることができる。
【００３８】
次に、本発明に係る遊技機としてのスロットマシン１の作用効果を説明する。まず、上記した第１誘導部４８及び第２誘導部４９の作用効果について説明する。上記した構成を備えたスロットマシン１は、下部ユニット６に形成されたボタンユニット取付部２１に停止ボタンユニット１５を取付固定する。この時、停止ボタンユニット１５は、第１脚部５０ａを第１表穴部３２の中に該第１表穴部３２の前面側から挿入し、第２脚部５０ｂを第２表穴部３３の中に該第２表穴部３３の前面側から挿入して、仮固定を行う。この時、第１表穴部３２は、その内径が第１脚部５０ａの外径よりも大きくなるように形成されており、第２表穴部３３は、その内径が第２脚部５０ｂの外径よりも大きくなるように形成されている。そのため、第１脚部５０ａを第１表穴部３２に挿入するとともに、第２脚部５０ｂを第２表穴部３３に挿入する時にも、スムーズに挿入することができる。特に、本発明のスロットマシン１では、第２表穴部３３の内径が第２脚部５０ｂの外径よりも大きく形成され、さらに第２表穴部３３の内周面から突出する複数の突出片３１の先端面により形成される空間の内径も第２表穴部３３の外径より大きくなるように形成されているので、第２脚部５０ｂを挿入する時の第２表穴部３３との間において発生する摩擦抵抗を大きく軽減することができる。そのため、本発明にかかるスロットマシン１では、ボタンユニット取付部２１に対してよりスムーズに停止ボタンユニット１５を取付固定することが可能になる。
【００３９】
また、このように第１取付具２６及び第２取付具２７を用いてボタンユニット取付部２１に停止ボタンユニット１５を取付固定する際、第１取付具２６や第２取付具２７を落下させてしまうこともあるが、本発明に係るスロットマシン１では、図７に示すように、第１延出部２８及び第２延出部２９が形成されているので、第１取付具２６が落下した場合にはこの落下した第１取付具２６が第１延出部２８で受け止められ、第２取付具２７が落下した場合にはこの落下した第２取付具２７が第２延出部２９で受け止められる。したがって、本発明に係るスロットマシン１では、これら第１取付具２６や第２取付具２７を落下させてしまったとしても、セレクタ１８の内部に紛れてしまったり、排出口まで落下した後に取り上げて再度取付固定を行う必要がなくなる。そのため、停止ボタンユニット１５のボタンユニット取付部２１への取付固定時における作業の煩雑さを大きく低減することが可能になる。
【００４０】
また、停止ボタンユニット１５を交換する場合にも、取り外した第１取付具２６及び第２取付具２７を第１延出部２８又は第２延出部２９に一時的に置いておくこともできる。したがって、上記した、取付具を用いた取付固定作業の煩雑さの低減をさらにより大きく向上させることが出来、また作業効率も大きく向上させることが可能になる。
【００４１】
次に、スロットマシン１を用いて遊技を行っている時の作用効果について説明する。遊技者は、投入口１１からメダルを投入して、１ベットボタン１２又はＭＡＸベットボタン１３を押圧操作してメダルの掛け枚数を選び、その後スタートレバー１４を操作して遊技を開始する。スタートレバー１４を操作すると、回転リールが回転駆動を開始する。その後、遊技者が第１〜第３ストップボタンを押圧操作すると、押圧操作したストップボタンに対応する回転リールが停止する。このようにして、全ての回転リールの回転が停止した時の停止図柄を見て、遊技に当選したのか否かが判定される。
【００４２】
回転している回転リールを止める際には、第１〜第３ボタン６１，７１，８１を押圧操作することにより行う。これら第１〜第３ストップボタン６１，７１，８１は、それぞれのボタンを操作して行われるのが一般的ではあるが、遊技者によっては、指をスライド移動させながら第１ボタン６１から第３ボタン８１までを連続的に押圧操作することがある。本発明に係るスロットマシン１では、第１ボタン６１と第２ボタン７１との間に第１誘導部４８を形成し、第２ボタン７１と第３ボタン８１との間に第２誘導部４９を形成しているので、このように第１ボタン６１から第３ボタン８１に向けて第１ボタン６１から第３ボタン８１までを連続的に押圧操作する時に第１誘導部４８及び第２誘導部４９によって案内されながら、確実にこれら第１ボタン６１及び第３ボタン８１を押圧操作することができる。特に、本発明に係るスロットマシン１では、第１押圧部６７には第１傾斜部６９が形成され、第２押圧部７７には第２傾斜部７９が形成され、第３押圧部８７には第３傾斜部８９が形成されているので、遊技者が指をスライド移動しやすくすることができ、これにより遊技者が第１〜第３ボタン６１，７１，８１を押圧操作する際の負担を軽減し、遊技を行うことによる疲労感の蓄積を軽減することができる。
【００４３】
また、この時、ストップボタンは、遊技者が複数の前記ストップボタンを連続して押圧操作する時の押圧操作方向始端側に設けているので、押圧操作されたボタンの検知がされなくなっているということも確実に防止することが可能になる。また、この時、第１〜第３ボタン６１，７１，８１は、表面が山形になっているので、遊技者に対する操作のやりやすさを大きく向上させていることが可能になる。
【００４４】
以上、本発明に係るスロットマシン１に関して詳細に説明したが、本発明はこれに限定されるものではなく、本発明の趣旨を逸脱しない範囲において適宜変更を加えてもよい。
【符号の説明】
【００４５】
１  スロットマシン
２  筐体
３  前扉
１５  停止ボタンユニット
１８  セレクタ
２１  ボタンユニット取付部
２３  第１孔部
２４  第２孔部
２６  第１取付具
２７  第２取付具
２８  第１延出部
２９  第２演出部
３１  突出片
３２  第１表穴部
３３  第２表穴部
４１  ベース部材
４２  第１ボタンユニット
４３  第２ボタンユニット
４４  第３ボタンユニット
４８  第１誘導部
４９  第２誘導部
５１  第１取付部
５４  第２取付部
５７  第３取付部
６１  第１ボタン
６２  第１検知センサ
６４  第１ボタン本体
６５  第１押圧部
６７  第１接触面
６８  第１頂部
６９  第１傾斜部
７１  第２ボタン
７２  第２検知センサ
７４  第２ボタン本体
７５  第２押圧部
７７  第２接触面
７８  第２頂部
７９  第２傾斜部
８１  第３ボタン
８２  第３検知センサ
８４  第３ボタン本体
８５  第３押圧部
８７  第３接触面
８８  第３頂部
８９  第３傾斜部
【図１】
0006294192.tif 000002
【図２】
0006294192.tif 000003
【図３】
0006294192.tif 000004
【図４】
0006294192.tif 000005
【図５】
0006294192.tif 000006
【図６】
0006294192.tif 000007
【図７】
0006294192.tif 000008